(57)【要約】  【課題】  最小限のスペースでフレキシブル基板の組み込みおよび面外方向両側への撓みを制限することができる光学ユニットを提供する。  【解決手段】  光学ユニットは、光学調節部材１０２とフレキシブル基板２９を保持する保持部Ｅとを備える。該保持部は、フレキシブル基板の基板面に沿った第１の方向での一方の側と他方の側にそれぞれ、フレキシブル基板の厚さ方向両側に配置され、かつ基板面に沿って第１の方向に直交する第２の方向で異なる位置に配置された第１の突起部９１７ａ，９１７ｂおよび第２の突起部９１８ａ，９１８ｂを有する。該一方の側と他方の側とで、第２の方向での第１および第２の突起部の配置順序が異なる。【選択図】  図６
2007047542.tif 000002
【特許請求の範囲】
【請求項１】
光学調節部材と、フレキシブル基板を保持する保持部を有する部材とを備え、
前記保持部は、前記フレキシブル基板の基板面に沿った第１の方向での一方の側と他方の側にそれぞれ、前記フレキシブル基板の厚さ方向両側に配置され、かつ前記基板面に沿って前記第１の方向に直交する第２の方向で異なる位置に配置された第１の突起部および第２の突起部を有し、
前記一方の側と前記他方の側とで、前記第２の方向での前記第１および第２の突起部の配置順序が異なることを特徴とする光学ユニット。
【請求項２】
光学調節部材と、フレキシブル基板を保持する保持部を有する部材とを備え、
前記保持部は、前記フレキシブル基板の基板面に沿った第１の方向での一方の側と他方の側にそれぞれ、前記フレキシブル基板の厚さ方向両側に配置され、かつ前記基板面に沿って前記第１の方向に直交する第２の方向で異なる位置に配置された第１の突起部および第２の突起部を有し、
前記一方の側と前記他方の側に設けられた前記第１の突起部同士および前記第２の突起部同士がそれぞれ、前記第１および第２の方向に直交する方向から見たときに、前記第１の方向において互いに対向しないように配置されていることを特徴とする光学ユニット。
【請求項３】
前記一方および他方の側における互いに反対側に設けられた前記第１の突起部と前記第２の突起部とが、前記第１および第２の方向に直交する方向から見たときに、前記第１の方向において少なくとも一部が対向していることを特徴とする請求項１又は２に記載の光学ユニット。
【請求項４】
前記第１の突起部が前記第２の突起部よりも前記光学ユニットの外側に配置されており、
前記一方および他方の側に設けられた前記第１の突起部の間に、前記フレキシブル基板をその厚さ方向に移動させて前記保持部に組み込み可能な空間が形成されていることを特徴とする請求項１から３のいずれか１つに記載の光学ユニット。
【請求項５】
前記一方および他方の側のそれぞれに設けられた前記第２の突起部は、同じ側に設けられた前記第１の突起部よりも前記第１の方向における突出量が大きいことを特徴とする請求項４に記載の光学ユニット。
【請求項６】
前記第１の突起部に、前記保持部に組み込まれる前記フレキシブル基板をガイドするガイド面が形成されていることを特徴とする請求項４又は５に記載の光学ユニット。
【請求項７】
前記フレキシブル基板における前記保持部によって保持される部分に、弾性板が取り付けられていることを特徴とする請求項１から６のいずれか１つに記載の光学ユニット。
【請求項８】
前記フレキシブル基板における前記保持部によって保持されない部分の前記第１の方向での寸法が、前記保持部によって保持される部分の前記第１の方向での寸法よりも小さいことを特徴とする請求項１から７のいずれか１つに記載の光学ユニット。
【請求項９】
請求項１から８のいずれか１つに記載の光学ユニットを備えることを特徴とする光学機器。
【発明の詳細な説明】
【技術分野】
【０００１】
本発明は、レンズ装置、ビデオカメラ、デジタルスチルカメラ等の光学機器に搭載される光学ユニットに関し、特に、フレキシブル基板が実装される光学ユニットに関する。
【背景技術】
【０００２】
光学機器において、防振ユニットや絞りユニット等、電気的に駆動される光学ユニットに対する電気的配線には、フレキシブル基板が用いられることが多い。特に、光軸方向に移動する光学ユニットに対する配線についてはフレキシブル基板の使用が不可欠である。
【０００３】
但し、フレキシブル基板は柔軟性が高く、その撓み方（膨らみ方）が一様に決まらない。一方、光学機器の小型化に伴い、その内部でのフレキシブル基板の配置スペースも相対的に小さくなってきている。このため、フレキシブル基板が少しでも想定範囲外の膨らみ方をすると、光学ユニットとその周辺の構造物との間にフレキシブル基板が挟まってしまい、光学ユニットの移動が妨げられる。
【０００４】
このような問題を解消する方法としては、一般に、フレキシブル基板のうち膨らみによって周囲の構造物と干渉するおそれがある部分を光学ユニットにテープで接着固定したり、フレキシブル基板の膨らみ部分を所定の収納スペース内に押し込んだりすることで、フレキシブル基板の膨らみを制限する。
【０００５】
また、特許文献１には、基板取付部から撓み防止片を突出させ、該撓み防止片でフレキシブル基板が面外方向へ膨らまないように押さえ込む構成が開示されている。
【特許文献１】特開２００２−３２３７２４公報（段落００３０、図１等）
【発明の開示】
【発明が解決しようとする課題】
【０００６】
しかしながら、テープでフレキシブル基板を光学ユニットに接着固定する方法では、その組み立てが面倒であり、また接着固定後のテープの剥がれによってフレキシブル基板の膨らみ制限ができなくなることも懸念される。
【０００７】
また、フレキシブル基板の膨らみ部分を収納するための特別なスペースを光学機器内に設けると、該スペースが光学機器のより小型化や設計自由度の向上を阻害する場合がある。
【０００８】
また、特許文献１に開示された構成では、撓み防止片の突出方向に形成された基板取付部の側方開口からフレキシブル基板を幅方向にスライドさせて差し込む。このため、基板取付部の側方に、差し込み前のフレキシブル基板を通すためのスペースを設ける必要がある。したがって、小型化を追求し、基板を保持する部分の周辺にスペース的に余裕が少ない光学ユニットにおけるフレキシブル基板の取付構造としては不向きである。
【０００９】
本発明は、最小限のスペースでフレキシブル基板の組み込みおよび面外方向両側への撓みを制限することができる光学ユニットおよびこれを備えた光学機器を提供することを目的の１つとしている。
【課題を解決するための手段】
【００１０】
本発明の一側面としての光学ユニットは、光学調節部材とフレキシブル基板を保持する保持部を有する部材とを備えた光学ユニットである。該保持部は、フレキシブル基板の基板面に沿った第１の方向での一方の側と他方の側にそれぞれ、フレキシブル基板の厚さ方向両側に配置され、かつ基板面に沿って第１の方向に直交する第２の方向で異なる位置に配置された第１の突起部および第２の突起部を有する。そして、該一方の側と他方の側とで、第２の方向での第１および第２の突起部の配置順序が異なることを特徴とする。
【００１１】
また、本発明の他の側面としての光学ユニットは、光学調節部材とフレキシブル基板を保持する保持部を有する部材とを備えた光学ユニットである。該保持部は、フレキシブル基板の基板面に沿った第１の方向での一方の側と他方の側にそれぞれ、フレキシブル基板の厚さ方向両側に配置され、かつ基板面に沿って第１の方向に直交する第２の方向で異なる位置に配置された第１の突起部および第２の突起部を有する。そして、該一方の側と他方の側に設けられた第１の突起部同士および第２の突起部同士がそれぞれ、第１および第２の方向に直交する方向から見たときに、第１の方向において互いに対向しないように配置されていることを特徴とする。
【００１２】
なお、光学調節部材には、レンズ、プリズム、光量調節のための遮光部材が含まれる。
【発明の効果】
【００１３】
本発明によれば、上記一方の側と他方の側とに分かれた第１および第２の突起部のうち一方の突起部（例えば、第１の突起部）の間を通して、該一方の突起部と他方の突起部（例えば、第２の突起部）との間にフレキシブル基板を組み込むことができる。このため、これら突起部を有する保持部の周囲にフレキシブル基板を組み込むための特別なスペースを必要とすることなく、容易にフレキシブル基板の保持部への組み込みを行うことができる。したがって、フレキシブル基板の保持構造を含めた光学ユニット全体の小型化を図ることがきる。そして、組み込み後は、上記一方の側と他方の側の第１および第２の突起部によって、フレキシブル基板の面外方向両方への撓み（膨らみ）と外れを確実に制限することができる。
【発明を実施するための最良の形態】
【００１４】
以下、本発明の実施例について図面を参照しながら説明する。
【実施例１】
【００１５】
図１には、本発明の実施例１である光学機器としてのズームレンズ鏡筒の構成を示している。図中の（ａ）は該レンズ鏡筒の広角（ワイド）端での構成を、（ｂ）は望遠（テレ）端での構成を示している。
【００１６】
図１において、１は固定筒である。該固定筒１は、支持部１ａと、第１の直進溝部１ｂと、第１および第２のガイド溝部１ｃ，１ｄと、突起部１ｐと、軸受け部１ｅと、第１および第２の取付け部１ｆ，１ｇと、ガイド部１ｈと、丸穴部１ｉと、第２の直進溝部１ｊとを有する。
【００１７】
支持部１ａは、後述するカム筒２を回転可能に支持する。第１の直進溝部１ｂは、後述する第３レンズユニット１０３および第５レンズユニット１０５を光軸方向に案内する。第１のガイド溝部１ｃは、フォーカス環５のネジ状突起部５ａと係合し、フォーカス環５が光軸周りで回転したときの該フォーカス環５の光軸方向移動を案内する。
【００１８】
第２のガイド溝部１ｄは、ズーム操作環６に設けられた突起部６ａとバヨネット係合し、ズーム操作環６の光軸周りでの回転を案内する。
【００１９】
突起部１ｐは、ズーム操作環６の内周面と係合する。軸受け部１ｅは、後述するフォーカス出力ギヤ２５ｃを回転可能に支持する。第１の取付け部１ｆには、メイン回路基板２４が取り付けられる。また、第２の取付け部１ｇには、該レンズ鏡筒を不図示の一眼レフカメラ本体に装着するためのマウント部材２３が取り付けられる。ガイド部１ｈは、カム筒２の光軸方向への移動を阻止し、光軸周りでの回転を案内する。丸穴部１ｉには、後述する防振ユニット２を固定する際に使用する調整コロ部材９が挿入される。第２の直進溝部１ｊは、後述する直進筒３を光軸方向に案内する。
【００２０】
カム筒２は、第１のカム溝部２ａと、第２のカム溝部２ｂと、第３のカム溝部２ｃと、ガイド溝部２ｂと、固定部２ｅとを有する。
【００２１】
第１のカム溝部２ａは、直進筒３の光軸方向への移動をガイドする。第２のカム溝部２ｂは、３群鏡筒１０の光軸方向への移動を案内する。第３のカム溝部２ｃは、６群鏡筒１２の光軸方向への移動を案内する。ガイド溝部２ｂは、カム筒２の光軸方向への移動を阻止し、光軸周りでの回転を案内する。固定部２ｅには、ズーム操作環６の回転をカム筒２に伝えるために双方を連結する連結部材１８が固定される。
【００２２】
直進筒３には、カム筒２の第１のカム溝部２ａと係合するカムフォロア２０がビス２２により固定されている。カムフォロワ２０は、固定筒１の第２の直進溝部１ｊに係合する。これにより、直進筒３は、カム筒２の回転に伴って、第２の直進溝部１ｊによりガイドされながら、第１のカム溝部２ａに沿って光軸方向に移動する。
【００２３】
４はメスヘリコイド筒である。該メスヘリコイド筒４は、フォーカス環５のガイド溝部５ｂと係合する突起部４ａと、直進筒３とヘリコイド結合するヘリコイド突起部４ｂとを有する。
【００２４】
フォーカス環５は、突起部５ａと、ガイド溝部５ｂと、ギヤ部５ｃとを有する。突起部５ａは、固定筒１の第１のガイド溝部１ｃと係合し、フォーカス環５の光軸周りでの回転を可能とする。ガイド溝部５ｂは、メスヘリコイド筒４の突起部４ａと係合し、メスヘリコイド筒４を光軸方向に案内する。ギヤ部５ｃは、後述する駆動アクチュエータ２５ａから複数の歯車を介して減速された出力が伝達される出力軸部２５ｃと係合し、フォーカス環５を光軸周りに回転させる。
【００２５】
ズーム操作環６は、突起部６ａと、係合部６ｂとを有する。突起部６ａは、固定筒１の第２のガイド溝部１ｄと係合し、ズーム操作環６の光軸周りでの回転を可能とする。係合部６ｂは、前述した連結部材１８と係合する。
【００２６】
７は外装環であり、装飾のために内部部品を覆うカバー部材である。
【００２７】
８は１群鏡筒であり、メスヘリコイド筒４の内周面に係合する係合部８ａと、第１レンズユニット１０１を保持する保持部８ｂとを有する。
【００２８】
９は撮影時の像振れ補正を行う、本実施例における光学ユニットとしての防振ユニットである。防振ユニット９の外周部における１２０°の位相ごとの３箇所には、頭部と軸部の軸中心が偏芯している調整コロ部材９ｂの軸部が圧入される窪み部９ｃが形成されている。調整コロ部材９ｂ−１の頭部側は、固定筒１の穴部１ｉに圧入されて固定筒１に位置決めされている。
【００２９】
この構成において、調整コロ部材９ｂ−１を軸部回りに回転させると、０から調整コロ部材９ｂ−１の軸部と頭部の最大偏芯量までの任意の範囲内で、防振ユニット９を固定筒１に対してずらした位置に固定できる。したがって、１２０°ずつ位相が異なる３箇所の調整コロ部材９ｂ−１の回転使用位置を調整することで、防振ユニット９の光学的な倒れ調整が行える。防振ユニット９は、光学調節部材としての第２レンズユニット１０２を保持する保持部９ｂを有する。該保持部９ｂは、２群鏡筒９ａを光軸直交面内で移動できるように保持している。
【００３０】
防振ユニット９では、公知の技術により撮影者の手振れを検知し、該手振れを打ち消す方向に２群鏡筒９ａを駆動して像振れを補正する。防振ユニット９の詳細な構成については後述する。
【００３１】
１０は３群鏡筒であり、第３レンズユニット１０３を保持する保持部１０ａを有する。また、３群鏡筒１０の外周部における１２０°の位相ごとの３箇所には、頭部と軸部の軸中心が偏芯している調整コロ部材９ｂ−２の軸部が圧入される窪み部１０ｃが形成されている。
【００３２】
１３は３群鏡筒１０を保持する保持部材である。該保持部材１３は、取付け部１３ａと、丸穴部１３ｂと、不図示の固定部とを有する。取付け部１３ａには、固定筒１の第１の直進溝部１ｂに係合して保持部材１３を光軸方向に案内する３群カムフォロア２０が取り付けられている。丸穴部１３ｂは、３群鏡筒１０を固定する際に使用する調整コロ部材９−２の軸部側が係合する。固定部は、複数の絞り羽根とそれらを駆動する駆動部材とカバー部材からなる絞り装置２２が固定される。該固定部は、スナップフィット結合やネジ締結等によって絞り装置２２を固定する。
【００３３】
この構成において、調整コロ部材９ｂ−２を軸部回りに回転させると、０から調整コロ部材９ｂ−２の軸部と頭部の最大偏芯量までの任意の範囲内で、３群鏡筒１０を保持部材１３に対してずらした位置に固定できる。調整コロ部材９ｂの頭部側は穴部に圧入されて固定筒１に位置決めされる。ここでも、上述の防振ユニット２と同様に、保持部材１３を固定筒１に対して倒れ方向に変位させることで、結果的に３群鏡筒１０の光学的な倒れ調整が行える。
【００３４】
１１は４群鏡筒であり、第４レンズユニット１０４を保持する保持部１１ａと、４群鏡筒１１を固定筒１に締結するための締結片１１ｂとを有する。
【００３５】
１４は５群鏡筒であり、第５レンズユニット１０５を保持する保持部１４ａを有する。さらに、５群鏡筒１４の外周部における１２０°ずつ位相が異なる３箇所にはカムフォロワ部１４ｂが設けられている。
【００３６】
１２は６群鏡筒であり、保持部１２ａと、取付け部１２ｂと、溝部１２ｃと、カム溝部１２ｄとを有する。保持部１２ａは、第６レンズユニット１０６を保持する。取付け部１２ｂには、固定筒１に形成された第１の直進溝部１ｂとカム筒２に形成された第３のカム溝部２ｃに係合して、６群鏡筒１２を光軸方向に案内する６群カムフォロア２１が取り付けられる。溝部１２ｃは、４群鏡筒１１の締結片１１ｂとの干渉を避けるように形成されている。カム溝部１２ｄは、５群鏡筒１４のカムフォロワ部１４ｂと係合し、６群鏡筒１２の回転量に応じて５群鏡筒１４を光軸方向に移動させるカム軌跡を有する。
【００３７】
マウント部材２３は、開口部２３ａと、カメラ本体への装着のためのツバ部２３ｂと、固定筒１への締結のための座部２３ｃとを有する。
【００３８】
メイン回路基板２４は、該レンズ鏡筒内での各種駆動のための演算およびカメラとの間での情報伝達処理を行う。
【００３９】
２５はフォーカス環５を光軸周りに回転させるためのギヤユニットであり、振動型モータ等により構成される駆動アクチュエータ２５ａと、複数のギヤ部２５ｂと、それらにより減速された回転を出力する出力ギヤ２５ｃとを有する。出力ギヤ２５ｃは、前述したようにフォーカス環５のギヤ部５ｃと係合している。また、駆動アクチュエータ２５ａとメイン回路基板２４とは、フレキシブル基板等の配線部材で接続されている。駆動アクチュエータ２５ａは、メイン回路基板２４からの駆動信号によって駆動が制御される。
【００４０】
２６はフレキシブルプリント基板であり、一端が絞り装置２２に接続され、他端がメイン回路基板２４に接続されている。絞り装置２２では、メイン回路基板２４からの駆動信号に応じて、不図示の絞りアクチュエータにより絞り羽根が駆動される。
【００４１】
２７はフレキシブルプリント基板２６を光軸方向へ延ばした状態で保持する保持板である。この保持板２７は、３群鏡筒１０にネジ締結等の方法で取り付けられる。保持板２７の長手方向端面にフレキシブルプリント基板２６が固定されることにより、光学有効径内にフレキシブルプリント基板２６が侵入するのを防いでいる。
【００４２】
２８は接点部材で、その一端にメイン回路基板２４に接続されている接点部を有する。該接点部は、カメラ本体の接点部と接触して、カメラ本体との間での情報伝達を行う。
【００４３】
２９はフレキシブルプリント基板であり、一端が防振ユニット９に接続され、他端がメイン回路基板２４に接続されている。防振ユニット９は、メイン回路基板２４からの駆動信号に応じて、コイルおよびマグネットを有するアクチュエータにおいて発生される駆動力により、２群鏡筒９ａを光軸直交面内で駆動する。
【００４４】
次に、以上のように構成されたレンズ鏡筒の動作について説明する。ズーム操作環６を光軸周りに回転させると、ズーム操作環６に結合された連結部材１８に係合しているカム筒２も回転する。
【００４５】
カム筒２に形成された第１のカム溝部２ａに係合している直進筒３は、固定筒１に設けられた第２の直進溝部１ｊによってガイドされながら、第１のカム溝部２ａのリードに従って光軸方向に移動する。
【００４６】
また、３群カムフォロア２０と６群カムフォロア２１はカム筒２に形成された第２のカム溝部２ｂと第３のカム溝部２ｃに係合している。このため、これらを有する３群鏡筒１０と６群鏡筒１２は、カム筒２が光軸周りで回転することで、各カム軌跡に従って光軸方向に移動する。これにより、ズーミングが行われる。
【００４７】
一方、フォーカス環５を光軸周りで回転させると、ガイド溝部５ｂに係合しているメスヘリコイド筒４が一緒に回転する。この際、メスヘリコイド筒４は、直進筒３に形成されたヘリコイド凹部３ｃと係合しているので、該ヘリコイドのリードに従って光軸方向に移動する。これにより、フォーカシングが行われる。
【００４８】
図２には、上述した防振ユニット９にフレキシブル基板２９の一端を接続した状態を示している。なお、図２には示していないが、フレキシブル基板２９の他端は、前述したようにメイン回路基板２４と接続される。フレキシブル基板２９は、その一端側の防振ユニット９の径方向内側に延びた部分を除き、防振ユニット９（第２レンズユニット１０２）の光軸ＡＸＬの方向を長手方向とする帯状に形成されている。ここで、本実施例では、フレキシブル基板２９のうち光軸ＡＸＬに近い側の面を内面といい、その反対側の面を外面という。フレキシブル基板２９の幅、すなわち基板面の面内方向のうち長手方向に直交する方向の寸法をｔ１、厚さをｆｈで表す。
【００４９】
９０１は防振ユニット９を構成するベース部材であり、その中央に光束を通す開口が形成された円環形状に形成されている。９０２は防振ユニット９に含まれる２群鏡筒９ａの駆動を電気的に制御する電気回路基板である。９０３はフレキシブル基板２９の一端との接続を保持するコネクタである。９２０はフレキシブル基板２９の外面の一部に貼り付けられたＰＥＴ（ポリエチレンテレフタレート）材等からなる弾性板としての補強板である。なお、フレキシブル基板２９と補強板９２０は一体のものとして構成されており、請求項にいうフレキシブル基板を構成する。
【００５０】
図３には、防振ユニット９の内部構造をその光軸方向から見て示している。２群鏡筒９ａには、コイル９１１ａ，９１１ｂが取り付けられている。コイル９１１ａは、ベース部材９０１により保持された不図示のマグネットとの相互作用によりピッチ方向（図中の上下方向）の駆動力を発生する。また、コイル９１１ｂは、同じくベース部材９０１により保持された不図示のマグネットとの相互作用によりヨー方向（図中左右方向）の駆動力を発生する。
【００５１】
また、２群鏡筒９ａには、後述する駆動モータ９１６に電流を与えるためのフレキシブル基板９１２と、２群鏡筒９ａのピッチ方向およびヨー方向での位置を検出するための投光素子９１３ａ，９１３ｂが取り付けられている。これら投光素子９１３ａ，９１３ｂから射出した光は、ベース部材９０１に取り付けられた不図示の受光素子によって検出される。これにより、２群鏡筒９ａのピッチ方向およびヨー方向の位置が検出される。
【００５２】
また、ベース部材９０１には、上記マグネットと磁気回路を形成するヨーク９１４と、中心保持部材９１５と、駆動モータ９１６が取り付けられている。中心保持部材９１５は、駆動モータによって駆動され、防振動作のオフ時にメカ的に２群鏡筒９ａをその光軸がレンズ鏡筒の光軸に一致する位置にロック保持し、また防振動作オン時には該ロック保持を解除する。
【００５３】
さらに、ベース部材９０１の外周部の一部には、フレキシブル基板２９を保持する保持部Ｅが形成されている。防振ユニット９の外周部は、僅かなクリアランスを残して直進筒３によって取り囲まれている。したがって、該直進筒３とフレキシブル基板２９との干渉を防ぐため、フレキシブル基板２９をベース部材９０１の外周部から離れて外側に撓まない（膨らまない）ように保持する必要がある。
【００５４】
図４には、図３に示した保持部Ｅを拡大して示している。以下、防振ユニット９の径方向外方を外側といい、径方向内方を内側という。また、この図に示すように、保持部Ｅを光軸方向から見たときのフレキシブル基板２９の幅方向に沿う第１の方向、すなわち図中の寸法線Ｂによって示される方向を、以下、幅方向という。なお、この幅方向は、ベース部材９０１の周方向に対応する方向である。
【００５５】
保持部Ｅにおける幅方向のうち一方の側には、他方の側に向かって突出する外側突起部（第１の突起部）９１７ａおよび内側突起部（第２の突起部）９１８ａが形成されている。また、保持部Ｅにおける幅方向の他方の側には、一方の側に向かって突出する外側突起部（第１の突起部）９１７ｂおよび内側突起部（第２の突起部）９１８ｂが形成されている。内側突起部９１８ａ，９１８ｂは、外側突起部９１７ａ，９１７ｂよりも内側に形成されている。また、外側突起部９１７ａ，９１７ｂの内側の面は、ベース部材９０１の外周面より若干内側に形成されている。
【００５６】
この図において、フレキシブル基板２９は、内側突起部９１８ａ，９１８ｂと外側突起部９１７ａ，９１７ｂとの間に挟まれるようにして保持される。この状態で、フレキシブル基板２９は、その外面が外側突起部９１７ａ，９１７ｂに当接することによって外周側への撓み（膨らみ）が阻止される。また、フレキシブル基板２９のその内面が内側突起部９１８ａ，９１８ｂに当接することによって、内側への膨らみが阻止される。フレキシブル基板２９の内側への膨らみを阻止するのは、防振動作時にフレキシブル基板２９が内側に膨らんで２群鏡筒９ａ又はピッチ方向の駆動コイル９１１ａと干渉することを防止するためである。
【００５７】
以上のようにフレキシブル基板２９を保持部Ｅに組み付けた後、さらに図５に示すように、ベース部材９０１の後面（像側の面：図中のＲは像側を示す）とこの後面に幅方向に離れて設けられた突起部９１９ａ，９１９ｂとの間にフレキシブル基板２９を通す。これにより、フレキシブル基板２９の像側への規定量以上の膨らみが防止される。
【００５８】
なお、外側突起部９１７ａ，９１７ｂの外側先端部および後面突起部９１９ａ，９１９ｂの後側先端部には、それぞれ図４および図５に示すように、フレキシブル基板２９の保持位置に向かって傾斜したガイド面９１７ａ−１，９１７ｂ−１，９１９ａ−１，９１９ｂ−１が形成されている。
【００５９】
次に、図５を用いて、外側突起部９１７ａ，９１７ｂと内側突起部９１８ａ，９１８ｂのフレキシブル基板２９の長手方向に沿う第２の方向、すなわち光軸ＡＸＬに平行な方向での位置関係について説明する。ここでは、該第２の方向を奥行き方向という。
【００６０】
図５に示すように、幅方向一方の側に設けられた外側突起部９１７ａおよび内側突起部９１８ａと、幅方向他方の側に設けられた外側突起部９１７ｂと内側突起部９１８ｂとでは、奥行き方向での配置順序が異なる。つまり、幅方向一方の側では、図の上側から、内側突起部９１８ａ、外側突起部９１７ａの順で配置され、幅方向他方の側では、同じ方向から、外側突起部９１７ｂ、内側突起部９１８ｂの順で配置されている。
【００６１】
また、別の表現をするならば、幅方向の両側に設けられた外側突起部９１７ａ，９１７ｂ同士および内側突起部９１８ａ，９１８ｂ同士がそれぞれ、図５に示すように幅方向お奥行き方向に直交する方向（光軸直交方向）から見たときに、幅方向において互いに対向しないように配置されている。
【００６２】
さらに別の言い方をすれば、図５に示す光軸直交方向視において、外側突起部９１７ａ，９１７ｂと内側突起部９１８ａ，９１８ｂとが互い違い（千鳥状配置）となるように配置されている。
【００６３】
ここで、外側突起部９１７ａ，９１７ｂのそれぞれの奥行き方向の長さをＦ，Ｇとし、内側突起部９１８ａ，９１８ｂのそれぞれ奥行き方向の長さをＨ，Ｉとする。さらに、外側突起部９１７ａと内側突起部９１８ａの間隔をＪ（図では０に見えるが実際には０ではない）とし、外側突起部９１７ｂと内側突起部９１８ｂの間隔をＫとする。なお、９１８ａ−１，９１８ｂ−１はそれぞれ、内側突起部９１８ａ，９１８ｂのうち外側を向いた面である。
【００６４】
外側突起部９１７ｂの奥行き方向像側（図中のＲ方向）の端面は、外側突起部９１７ａの奥行き方向物体側（Ｒ方向と反対側）の端面から、物体側にＪだけずれた位置に形成されている。また、内側突起部９１８ｂの物体側端面は、内側突起部９１８ａの像側端面から像側にＫだけずれた位置に形成されている。
【００６５】
また、図５においては、外側突起部９１７ａと内側突起部９１８ｂは、それらの一部が幅方向にて互いに対向するように形成されている。さらに、外側突起部９１７ｂと内側突起部９１８ａは、内側突起部９１８ａの奥行き方向のほぼ全体が外側突起部９１７ｂの一部に幅方向にて互いに対向するように形成されている。
【００６６】
このような配置は、フレキシブル基板２９の特に外面については奥行き方向（長手方向）の中央付近を含んで広い面積で押さえた方がより好ましいことと、樹脂成形品であるベース部材９０１の成形時における型割を容易とすること等を理由として採用されている。但し、必ずしも上記のように内側突起部と外側突起部とで幅方向に対向する部分を設ける必要はない。要は、保持部Ｅに組み込まれたフレキシブル基板２９の外側と内側への膨らみが阻止されること、および後述するようにフレキシブル基板２９を保持部Ｅに外側から組み込む際にフレキシブル基板２９の内面が内側突起部によって受け止められることが満足されればよい。
【００６７】
また、図４および図５において、外側突起部９１７ａ，９１７ｂと内側突起部９１８ａ，９１８ｂとの間でフレキシブル基板２９の幅ｔ１が収まる領域の幅をＡとする。また、外側突起部９１７ａ，９１７ｂの先端間隔をＢ、内側突起部９１８ａ，９１８ｂの先端間隔をＣ、後側突起９１９ａ，９１９ｂの先端間隔をＤとする。このとき、
Ａ＞ｔ１＞Ｂ＞Ｃ
ｔ１＞Ｄ
の関係が成立する。
【００６８】
ここで、Ｂ＞Ｃは、内側突起部９１８ａが外側突起部９１７ａの先端よりも幅方向内方（図４での内側突起部９１８ｂの方向）に突出し、内側突起部９１８ｂが外側突起部９１７ｂの先端よりも幅方向内方に突出していることを示す。理由については後述する。
【００６９】
さらに、図４において、フレキシブル基板２９の厚みは、外側突起部９１７ａ，９１７ｂの内側の面と内側突起部９１８ａ，９１８ｂの外側の面との間隔ＦＨ内に収められる。ここでフレキシブル基板２９の厚みｆｈと上記間隔ＦＨとは、
ｆｈ≦ＦＨ≦５ｆｈ
の範囲に設定することが望ましい。この条件を満たすことにより、フレキシブル基板２９がフレキシブル基板２９の幅方向に沿った軸周りで回転して外側および内側に膨らむことが阻止される。
【００７０】
以上説明した外側突起部９１７ａ，９１７ｂ、内側突起部９１８ａ，９１８ｂおよび後側突起部９１９ａ，９１９ｂを有するベース部材９０１の全体を図６に示す。
【００７１】
次に、保持部Ｅに対するフレキシブル基板２９の組み込み方法について説明する。図４に矢印Ｌで示した防振ユニット９の外側から、外面に補強板９２０が取り付けられたフレキシブル基板２９の内面を外側突起部９１７ａ，９１７ｂの方向に近づけ、そのままの方向に押し込む。つまり、フレキシブル基板２９をその内外面に直交する方向に押し込む。これにより、フレキシブル基板２９と補強板９２０が弾性変形し、外側突起部９１７ａ，９１７ｂを越えて、外側突起部９１７ａ，９１７ｂと内側突起部９１８ａ，９１８ｂの間の保持スペースに入り込む。このとき、フレキシブル基板２９の幅方向端部近傍が外側突起部９１７ａ，９１７ｂのガイド面９１７ａ−１，９１７ｂ−１に当接し、フレキシブル基板２９と補強板９２０は幅方向内方に弾性変形するようにガイドされる。このため、フレキシブル基板２９と補強板９２０はスムーズに保持スペースに入り込む。
【００７２】
そして、フレキシブル基板２９の内面が、内側突起部９１８ａ，９１８ｂの外側の面９１８ａ−１，９１８ｂ−１に当接してフレキシブル基板２９の位置が決まる。このとき、前述したように、内側突起部９１８ａ，９１８ｂがそれぞれ外側突起部９１７ａ，９１７ｂの先端よりも幅方向内方に突出しているため、フレキシブル基板２９を確実に受け止める。したがって、フレキシブル基板２９が内側突起部９１８ａ，９１８ｂを越えてさらに内側に入り込むことを阻止できる。
【００７３】
こうして、フレキシブル基板２９および補強板９２０は保持スペース内に配置され、外側突起部９１７ａ，９１７ｂと内側突起部９１８ａ，９１８ｂとの当接によって外側および内側にほとんど膨らむことないように保持される。また、補強板９２０によって、保持スペース内に保持された後のフレキシブル基板２９の幅方向の変形
その後、図７に示すように、矢印Ｍ１の方向を長手方向として延びるフレキシブル基板２９を、９２１で示した位置で矢印Ｎの方向（径方向内側）に屈曲させる。そして、フレキシブル基板２９における屈曲位置９２１から少し先の部分を後側突起部９１９ａ，９１９ｂに押し付ける。これにより、フレキシブル基板２９が弾性変形して後側突起部９１９ａ，９１９ｂを越え、後側突起部９１９ａ，９１９ｂとベース部材９０１の後面との間の保持スペースに入り込む。このとき、フレキシブル基板２９の幅方向端部近傍が後側突起部９１９ａ，９１９ｂのガイド面９１９ａ−１，９１９ｂ−１によって幅方向内方に弾性変形するようにガイドされるので、フレキシブル基板２９はスムーズに保持スペースに入り込む。こうして、フレキシブル基板２９は、像面方向（Ｍ２方向）に膨らまないように保持される。
【００７４】
その後、再び、９２２の位置でフレキシブル基板２９をＭ２方向に折り曲げ、フレキシブル基板２９を該Ｍ２方向に延ばす。図８および図９には、以上のようにしてベース部材９０１に固定されたフレキシブル基板２９の状態を示している。
【実施例２】
【００７５】
図１０には、本発明の実施例２である光学ユニットとしての防振ユニットを示している。本実施例は、実施例１にて説明した保持部Ｅに組み込んだフレキシブル基板を該保持部Ｅから容易に取り外すことができるように、フレキシブル基板の形状に特徴を持たせた例である。フレキシブル基板の保持部Ｅからの取り外しは、主としてレンズ鏡筒のメンテナンスや修理時における分解に際して必要になることが多い。
【００７６】
本実施例の防振ユニット９の構成は、実施例１と同じであり、該防振ユニット９を含めて実施例１と共通する構成要素には、実施例１と同符号を付す。
【００７７】
本実施例では、図１０に示すように、フレキシブル基板３０のうち、補強板９２０が貼り付けられた部分、すなわち保持部Ｅによって保持される部分以外の部分に、該保持される部分よりも幅を狭くした領域（以下、くびれ部という）３０−１を形成している。
【００７８】
保持部Ｅによって保持される部分の幅をｔ２とし、くびれ部３０−１の幅をｔ３とすると、
ｔ２＞Ｂ＞ｔ３＞Ｃ
の関係がある。Ｂ，Ｃは実施例１で説明した通りである。
【００７９】
また、奥行き方向において、外側突起部９１７ａの像側端面から外側突起部９１７ｂの物体側端面までの寸法をｈ１とし、くびれ部３０−１の長手方向の長さをｈ２とすると、
ｈ２＞ｈ１
の関係がある。
【００８０】
この構成において、保持部Ｅによって保持されているフレキシブル基板３０を図中の矢印Ｏ方向（物体方向）に引っ張る。すると、外側突起部９１７ａ，９１７ｂと内側突起部９１８ａ，９１８ｂとがレールの役割を果たし、このレールに沿ってフレキシブル基板３０がＯ方向に移動する。そして、くびれ部３０−１がその長手方向において保持部Ｅを含む位置まで移動した状態では、外側突起部９１７ａ，９１７ｂの先端間隔Ｂがくびれ部３０−１の幅ｔ３より大きいため、フレキシブル基板３０を簡単に保持部Ｅから取り外すことができる。
【００８１】
しかも、本実施例において、保持部Ｅに対してフレキシブル基板３０を組み込む際には、くびれ部３０−１がその長手方向において保持部Ｅの位置を含むようにフレキシブル基板３０を防振ユニット９に対して位置合わせして、Ｌ方向に移動させる。これにより、くびれ部３０−１を弾性変形させなくても、保持部Ｅ内に組み込むことができる。このとき、内側突起部９１８ａ，９１８ｂの先端間隔Ｃはくびれ部３０−１の幅ｔ３よりも狭いので、くびれ部３０−１が内側突起部９１８ａ，９１８ｂを越えて防振ユニット９の内側に入り込むことが阻止される。
【００８２】
この後、フレキシブル基板３０を矢印Ｍ２方向に引っ張ると、外側突起部９１７ａ，９１７ｂと内側突起部９１８ａ，９１８ｂが形成するレールに沿ってフレキシブル基板３０がＭ２方向に移動する。そして、補強板９２０が貼り付けられた部分が保持部Ｅに移動した時点で、フレキシブル基板３０は外側突起部９１７ａ，９１７ｂと内側突起部９１８ａ，９１８ｂとによって外側および内側への膨らみが阻止された状態で保持される。
【００８３】
この後は、実施例１と同様に、フレキシブル基板３０のうち保持部Ｅによって保持された部分よりも像側の部分をベース部材９０１の後面と後側突起部９１９ａ，９１９ｂとの間に組み込む。
【００８４】
以上説明したように上記各実施例では、保持部に外側および内側突起部をそれぞれ２つずつ設け、幅方向一方の側と他方の側とで奥行き方向における外側突起部と内側突起部の配置順序が異なるように、いわば互い違いになるように配置している。このため、少ない数の突起部でありながら、フレキシブル基板をその厚さ方向にて確実に挟み込むように保持することができ、しかもフレキシブル基板の外側および内側への膨らみ（はみ出し）を確実に阻止することができる。さらに、幅方向一方の側と他方の側の外側突起部間にフレキシブル基板を組み込むことができる空間を形成したので、保持部の周囲に余計なスペースを必要とすることなく、簡単にフレキシブル基板を保持部に組み込むことができる。
【００８５】
また、フレキシブル基板のうち保持部によって保持される部分に弾性部材からなる補強板を貼り付けたので、
組み込み後のフレキシブル基板が、通常のレンズ鏡筒内部での変形によっては保持部から外れないようにすることができる。
【００８６】
したがって、上記各実施例の防振ユニットをレンズ鏡筒に搭載することにより、レンズ鏡筒のズーミング動作やカメラ本体に対する沈胴動作において、フレキシブル基板の予期されない撓み（膨らみ）を防止できる。この結果、防振ユニットの光軸方向移動に必要な弛みをスペース効率を悪化させることなく誘導および収納することができ、レンズ鏡筒の小型化を図ることができる。
【００８７】
なお、上記各実施例では、保持部Ｅにおける幅方向両側に外側突起部と内側突起部を２つずつ設けた場合について説明したが、本発明においてこれらの突起部の数は３つずつ以上であってもよい。この場合においても、幅方向一方の側と他方の側とで外側突起部と内側突起部の奥行き方向での配置順序が異なれば、本発明に含まれる。例えば、幅方向（第１の方向）の一方の側において奥行き方向（第２の方向）に、外側、内側、外側、内側突起部…の順で配置された場合に、幅方向他方の側において奥行き方向に、内側、外側、内側、外側突起部…の順で配置されていれば、本発明に含まれる。
【００８８】
また、上記各実施例では、防振ユニットにフレキシブル基板を装着する場合について説明した。しかし、本発明は、防振ユニットに限らず、光学調節部材としての絞り羽根を備えた絞りユニット等、光学調節部材を搭載したすべての光学ユニットに適用することができる。
【００８９】
さらに、上記各実施例では、一眼レフカメラ用の交換レンズ鏡筒について説明したが、本発明は、レンズ一体型のカメラ、ビデオカメラ等の撮像装置、双眼鏡等の観察装置、複写機やファクシミリ等の画像形成又は読取装置といった光学機器に広く適用できる。
【図面の簡単な説明】
【００９０】
【図１】本発明の実施例１であるレンズ鏡筒の断面図。
【図２】実施例１のレンズ鏡筒に搭載される防振ユニットの斜視図。
【図３】実施例１の防振ユニットの内部構造を示す正面図。
【図４】実施例１の防振ユニットの部品拡大図。
【図５】実施例１の防振ユニットの上面図。
【図６】実施例１の防振ユニットを構成するベース部材の斜視図。
【図７】実施例１の防振ユニットにおけるフレキシブル基板の取付け方法を示す斜視図。
【図８】実施例１の防振ユニットを構成するベース部材のフレキシブル基板取付状態を示す斜視図。
【図９】実施例１の防振ユニットを構成するベース部材のフレキシブル基板取付状態を示す斜視図。
【図１０】本発明の実施例２である防振ユニットの斜視図。
【符号の説明】
【００９１】
１  固定筒
２、５２、１０２、１５２  カム筒
３  直進筒
４  メスヘリコイド筒
５  フォーカス環
９  防振ユニット
２９，３０  フレキシブル基板
９１７ａ、９１７ｂ  外側突起部
９１７ａ−１、９１７ｂ−１  ガイド面
９１８ａ、９１８ｂ  内側突起部
９１９ａ、９１９ｂ  後側突起部
【図１】
2007047542.tif 000003
【図２】
2007047542.tif 000004
【図３】
2007047542.tif 000005
【図４】
2007047542.tif 000006
【図５】
2007047542.tif 000007
【図６】
2007047542.tif 000008
【図７】
2007047542.tif 000009
【図８】
2007047542.tif 000010
【図９】
2007047542.tif 000011
【図１０】
2007047542.tif 000012